(57)【要約】【課題】移動時において網戸が外れてしまうことを防止しながらも、異音発生がなく、スムーズかつ軽快に移動させることができる網戸の外れ止め装置を提供する。【解決手段】網戸の外れ止めを行う複数の外れ止め部材８を網戸の上框６に備え、各外れ止め部材８を、上部レール４の下端よりも上方に上端が位置する外れ止め作用位置と上部レール４の下端よりも上端が下方に位置して網戸５の外れ止めを解除する外れ止め解除位置とに渡って上下位置変更自在に構成し、外れ止め部材８を、水平軸芯周りで上下揺動自在で、外れ止め作用位置へ揺動付勢された揺動アーム１０と、揺動アーム１０に上部レール４側に突出する状態で備え、揺動アーム１０の上方側への揺動に伴って上部レール４の下端に押し付けられる押圧部１１とから構成し、外れ止め部材８の下端に接当して外れ止め部材８の下方側への移動を阻止する接当部材を備えた。【選択図】図１
2007182673.tif 000002
【特許請求の範囲】
【請求項１】
サッシ枠を構成する上部枠の上部レールの室内側又は室外側に、網戸の上框から上方に延びる垂直片部をそれの上端が該上部レールの下端よりも上方に位置する状態で配置し、前記上部レールの室外側又は室内側に位置し、該上部レールの下端よりも上方に上端が位置して前記網戸の外れ止めを行う複数の外れ止め部材を前記網戸の上框に備え、前記各外れ止め部材を、前記上部レールの下端よりも上方に上端が位置する外れ止め作用位置と該上部レールの下端よりも上端が下方に位置して該網戸の外れ止めを解除する外れ止め解除位置とに渡って上下位置変更自在に構成し、前記外れ止め部材を、水平軸芯周りで上下揺動自在で、かつ、弾性部材により前記外れ止め作用位置へ揺動付勢された揺動アームと、前記揺動アームに前記上部レール側に突出する状態で備えられ、かつ、該揺動アームの上方側への揺動に伴って前記上部レールの下端に押し付けられる押圧部とから構成し、前記外れ止め部材の下端に接当して該外れ止め部材の下方側への移動を阻止するための接当部材を備え、前記接当部材を、前記外れ止め部材の下方に位置して該外れ止め部材の下方側への接当位置を上下方向で変更させるためにスライド自在に構成した接当部本体と、前記接当部本体を複数のスライド位置にて保持させるための保持手段とから構成したことを特徴とする網戸の外れ止め装置。
【請求項２】
前記外れ止め部材及び前記接当部材を、前記網戸の上框に支持される支持部材に取り付け、前記接当部材の接当部本体の被接当側端に前記支持部材から外部に延出されて該接当部本体をスライドさせるための押し引き用の操作レバー部を備えてなる請求項１記載の網戸の外れ止め装置。
【請求項３】
前記保持手段を、前記接当部本体にそれのスライド方向に所定間隔を隔てて複数箇所に備えた凸部又は凹部と、これら複数の凸部又は凹部に係止して複数のスライド位置で前記接当部材を保持するために前記支持部材に備えた単数又は複数の凹部又は凸部とから構成してなる請求項１又は２に記載の網戸の外れ止め装置。
【請求項４】
前記網戸の上框を構成する水平の上壁部分に複数の貫通孔を形成し、それら貫通孔に前記支持部材を入り込ませて該貫通孔の外周縁に係止保持させるための係止部を該支持部材に備えさせてなる請求項２又は３に記載の網戸の外れ止め装置。
【請求項５】
前記押圧部の押圧面を円弧形状に構成してなる請求項２〜４のいずれかに記載の網戸の外れ止め装置。
【請求項６】
網戸の下框に、サッシ枠を構成する下部枠の下部レールの室内側及び室外側の両側に位置して該網戸の外れ止めを行うための外れ止め部をそれの下端が該下部レールの上端よりも下方に位置する状態で備え、前記網戸の移動時に該網戸の浮き上がりにより前記外れ止め部を乗り越えて該網戸が外れてしまうことがないように前記サッシ枠を構成する上部枠の上部レールの下端に接当して該網戸の浮き上がりを規制するための押圧部材を複数備えさせ、前記各押圧部材を、水平軸芯周りで上下揺動自在で、かつ、前記上部レールの下端に押し付け付勢するために上方側へ揺動付勢し、前記押圧部材の下端に接当して該押圧部材の下方側への移動を阻止するための接当部材を備え、前記接当部材を、前記押圧部材の下方に位置して該押圧部材の下方側への接当位置を上下方向で変更させるためにスライド自在に構成した接当部本体と、前記接当部本体を複数のスライド位置にて保持させるための保持手段とから構成したことを特徴とする網戸の外れ止め装置。
【請求項７】
前記上部レールの室内側又は室外側に、網戸の上框から上方に延びる垂直片部をそれの上端が該上部レールの下端よりも上方に位置する状態で配置し、前記上部レールの室外側又は室内側に位置し、該上部レールの下端よりも上方に上端が位置して前記網戸の外れ止めを行う外れ止め部材を、前記押圧部材の室外側又は室内側に該押圧部材と一体的に揺動自在に備えさせてなる請求項６に記載の網戸の外れ止め装置。
【発明の詳細な説明】
【技術分野】
【０００１】
本発明は、網戸の外れ止め装置に関し、詳しくは、網戸の開閉時に網戸が上方に浮き上がって網戸の下部が下部レールから外れてしまうことを防止するための網戸の外れ止め装置に関する。
【背景技術】
【０００２】
上記網戸の外れ止め装置では、例えば網戸の上框の上部水平板部の上面から上方に伸びる室外側の上部突出部材と室内側の上部突出部材とを備え、前記一対の上部突出部材の間に上部レールが位置する状態で網戸を配置し、前記上框の上部水平板部に形成されている貫通孔に差し込まれて突出部材間に位置する弾性部材からなる外れ止め部材を備え、網戸の移動時に発生する上下振動により上方へ浮き上がろうとすることを、外れ止め部材が上部レールに接当することによって阻止されて網戸の下端が下部レールから外れることを阻止するようにしている。そして、前記外れ止め部材に、上部水平板部に形成の貫通孔に係止する鋸歯状突起を上下方向に形成してあり、上部レールの下端面に外れ止め部材をできるかぎり近づけた状態になるように上部水平板部に対して外れ止め部材を上下方向で位置変更自在に構成している（例えば、特許文献１参照）。
【特許文献１】特開２００１−２０６４０号公報（第６図、第７図参照）
【発明の開示】
【発明が解決しようとする課題】
【０００３】
上記特許文献１の外れ止め部材では、上部レールの下面と外れ止め部材の上面との間に隙間が発生してしまうため、網戸の開閉移動中に上下動しながら移動する網戸の外れ止め部材の上端が上部レールに頻繁に接当してしまうため、接当による異音発生の原因になるだけでなく、上部レールと接当しながらの網戸の移動は、スムーズさに欠けるものであった。
又、前記接当を回避するために、上部レールの下面と外れ止め部材の上面との間に隙間が発生しないように、外れ止め部材を上部レールに接当する位置まで上方へ移動させておくことが考えられるが、開閉移動中に網戸が上方に移動したときに上部レールに外れ止め部材が食い込むような力が外れ止め部材に作用してしまうため、その力が網戸の移動抵抗になり、網戸を軽快に移動させることができなくなり、その結果、前述のように上部レールの下面と外れ止め部材の上面との間に隙間が発生する状態にすることになり、改善の余地があった。
【０００４】
本発明が前述の状況に鑑み、解決しようとするところは、移動時において網戸が外れてしまうことを防止しながらも、異音発生がなく、スムーズかつ軽快に移動させることができる網戸の外れ止め装置を提供する点にある。
【課題を解決するための手段】
【０００５】
本発明の網戸の外れ止め装置は、前述の課題解決のために、サッシ枠を構成する上部枠の上部レールの室内側又は室外側に、網戸の上框から上方に延びる垂直片部をそれの上端が該上部レールの下端よりも上方に位置する状態で配置し、前記上部レールの室外側又は室内側に位置し、該上部レールの下端よりも上方に上端が位置して前記網戸の外れ止めを行う複数の外れ止め部材を前記網戸の上框に備え、前記各外れ止め部材を、前記上部レールの下端よりも上方に上端が位置する外れ止め作用位置と該上部レールの下端よりも上端が下方に位置して該網戸の外れ止めを解除する外れ止め解除位置とに渡って上下位置変更自在に構成し、前記外れ止め部材を、水平軸芯周りで上下揺動自在で、かつ、弾性部材により前記外れ止め作用位置へ揺動付勢された揺動アームと、前記揺動アームに前記上部レール側に突出する状態で備えられ、かつ、該揺動アームの上方側への揺動に伴って前記上部レールの下端に押し付けられる押圧部とから構成し、前記外れ止め部材の下端に接当して該外れ止め部材の下方側への移動を阻止するための接当部材を備え、前記接当部材を、前記外れ止め部材の下方に位置して該外れ止め部材の下方側への接当位置を上下方向で変更させるためにスライド自在に構成した接当部本体と、前記接当部本体を複数のスライド位置にて保持させるための保持手段とから構成したことを特徴としている。
又、網戸の下框に、サッシ枠を構成する下部枠の下部レールの室内側及び室外側の両側に位置して該網戸の外れ止めを行うための外れ止め部をそれの下端が該下部レールの上端よりも下方に位置する状態で備え、前記網戸の移動時に該網戸の浮き上がりにより前記外れ止め部を乗り越えて該網戸が外れてしまうことがないように前記サッシ枠を構成する上部枠の上部レールの下端に接当して該網戸の浮き上がりを規制するための押圧部材を複数備えさせ、前記各押圧部材を、水平軸芯周りで上下揺動自在で、かつ、前記上部レールの下端に押し付け付勢するために上方側へ揺動付勢し、前記押圧部材の下端に接当して該押圧部材の下方側への移動を阻止するための接当部材を備え、前記接当部材を、前記押圧部材の下方に位置して該押圧部材の下方側への接当位置を上下方向で変更させるためにスライド自在に構成した接当部本体と、前記接当部本体を複数のスライド位置にて保持させるための保持手段とから構成してもよい。
外れ止め部材が外れ止め作用位置に揺動付勢されているから、網戸を開閉するために移動することによって、上下動する網戸に追従して外れ止め部材が上下動する、つまり網戸が上方側へ移動するときは外れ止め部材は下方側へ揺動し、網戸が下方側へ移動するときは外れ止め部材は上方側へ揺動することができるから、上部レールの下端に揺動アームに備えた押圧部が常に接当しながら、網戸を移動させることができ、しかも、押圧部の上下動が網戸に移動抵抗となることがなく、網戸をスムーズかつ軽快に移動させることができる。そして、移動時に網戸が不測に大きく浮き上がった場合には、下方側へ揺動する外れ止め部材の下端が接当部材に接当することによって、外れ止め部材の下方側への揺動が阻止され、網戸が外れることを阻止することができる。尚、外れ止め部材に対する接当部材のスライド位置は、上部レールの下端と網戸の上框の上端との隙間の大きさに応じて変更することになる。
又、網戸下框に備えている外れ止め部とサッシ枠の下部レールとの係り代以上に網戸が浮き上がることを、上部レールの下端に接当する押圧部材の上下位置を接当部材にて調節することによって、回避して網戸が外れることを確実に防止することができる。
【０００６】
前記外れ止め部材及び前記接当部材を、前記網戸の上框に支持される支持部材に取り付け、前記接当部材の接当部本体の被接当側端に前記支持部材から外部に延出されて該接当部本体をスライドさせるための押し引き用の操作レバー部を備えてもよい。
【０００７】
前記保持手段を、前記接当部本体にそれのスライド方向に所定間隔を隔てて複数箇所に備えた凸部又は凹部と、これら複数の凸部又は凹部に係止して複数のスライド位置で前記接当部材を保持するために前記支持部材に備えた単数又は複数の凹部又は凸部とから構成してもよい。
【０００８】
前記網戸の上框を構成する水平の上壁部分に複数の貫通孔を形成し、それら貫通孔に前記支持部材を入り込ませて該貫通孔の外周縁に係止保持させるための係止部を該支持部材に備えさせてもよい。
【０００９】
前記押圧部の押圧面を円弧形状に構成してもよい。
【００１０】
前記上部レールの室内側又は室外側に、網戸の上框から上方に延びる垂直片部をそれの上端が該上部レールの下端よりも上方に位置する状態で配置し、前記上部レールの室外側又は室内側に位置し、該上部レールの下端よりも上方に上端が位置して前記網戸の外れ止めを行う外れ止め部材を、前記押圧部材の室外側又は室内側に該押圧部材と一体的に揺動自在に備えさせてもよい。
【発明の効果】
【００１１】
外れ止め部材を外れ止め作用位置に揺動付勢する構成とすることによって、網戸を開閉するために移動したときに、上下動する網戸に追従して外れ止め部材を上下動させることができるから、上部レールの下端に揺動アームに備えた押圧部が常に接当しながら、網戸を移動させることができ、接当による異音発生がなく、しかも網戸をガタツキ無くスムーズかつ軽快に移動させることができる使用面において有利な網戸の外れ止め装置を提供することができる。そして、移動時に網戸が不測に大きく浮き上がった場合には、下方側へ揺動する外れ止め部材の下端が接当部材に接当することによって、外れ止め部材の下方側への揺動が阻止され、網戸が外れることを確実に阻止することができ、信頼性の高い網戸の外れ止め装置とすることができる。又、外れ止め機能を有する前記外れ止め部材と網戸の開閉時のガタツキ防止機能を有する押圧部とを一体化することによって、組み付け作業面において非常に安価になる。特に外れ止め部材と押圧部とを一体形成する場合には、別々に製造する場合に比べて材料コストにおいても安価になる。
又、網戸の移動時に網戸の浮き上がりにより外れ止め部を乗り越えて網戸が外れてしまうことがないようにサッシ枠を構成する上部枠の上部レールの下端に接当して網戸の浮き上がりを規制するための押圧部材を複数備えさせることによって、網戸の移動時に、網戸下框に備えている外れ止め部とサッシ枠の下部レールとの係り代以上に網戸が浮き上がって、網戸が外れてしまうことを確実に阻止することができることは勿論のこと、前記と同様に、上部レールの下端に押圧部材が常に接当しながら、網戸を移動させることができ、接当による異音発生がなく、しかも網戸をガタツキ無くスムーズかつ軽快に移動させることができる使用面において有利な網戸の外れ止め装置を提供することができる。
又、前記外れ止め部材や押圧部材を水平軸芯周りで上下揺動させるとともに、水平方向で移動する接当部材との接当により外れ止め部材や押圧部材の上下位置を変更する構成とすることによって、外れ止め部材や押圧部材を上下方向に移動させる構成に比べて、上下方向でのスペースを小さくすることができ、設計の自由度を高めることができる。
前記外れ止め部材や押圧部材の上下位置調節を行う理由として、サッシの上下枠の施工による誤差の他、網戸やサッシの製作誤差を吸収するためである。
【００１２】
前記外れ止め部材及び前記接当部材を、前記網戸の上框に支持される支持部材に取り付け、前記接当部材の接当部本体の被接当側端に前記支持部材から外部に延出されて該接当部本体をスライドさせるための押し引き用の操作レバー部を備えさせることによって、支持部材を網戸の上框に取り付けるだけで、外れ止め部材及び接当部材を網戸に装着することができる。しかも、支持部材から外部に延出された操作レバー部を直ちに押し引き操作するだけで接当部本体を迅速にスライド（移動）させることができる。
【００１３】
前記保持手段を、前記接当部本体にそれのスライド方向に所定間隔を隔てて複数箇所に備えた凸部又は凹部と、これら複数の凸部又は凹部に係止して複数のスライド位置で前記接当部材を保持するために前記支持部材に備えた単数又は複数の凹部又は凸部とから構成することによって、接当部本体をスライドさせるだけで、凸部と凹部とを係止させて接当部本体を任意のスライド位置にて保持させることができ、螺子などを用いて固定及び固定解除する構成に比べて、接当部本体のスライド位置変更操作を迅速に行うことができる。
【００１４】
前記網戸の上框を構成する水平の上壁部分に複数の貫通孔を形成し、それら貫通孔に前記支持部材を入り込ませて該貫通孔の外周縁に係止保持させるための係止部を該支持部材に備えさせることによって、支持部材を網戸の上框を構成する水平の上壁部分に形成の貫通孔に挿入して係止保持させるだけで、支持部材を取り付けることができる。
【００１５】
前記押圧部の押圧面を円弧形状に構成することによって、上部レールとの接触面積を小さくすることができ、その分網戸の移動時の上部レールとの摺接抵抗を小さくして、網戸の移動抵抗を小さくすることができる。
【発明を実施するための最良の形態】
【００１６】
図１に、サッシ枠を構成する上部枠１に、屋内側のガラス障子２及び屋外側のガラス障子３を備え、前記上部枠１の最も屋外側に位置する上部レール４に網戸５を備えた上側のみの縦断面図を示している。前記網戸５には外れ止め装置を備えさせており、この外れ止め装置は、前記上部レール４の室内側に、網戸５の上框６の上壁部分６Ａから室内側に延出された水平板部６Ｂから上方に延びる垂直片部７をそれの上端が該上部レール４の下端よりも上方に位置する状態で配置し、前記上部レール４の室外側に位置し、該上部レール４の下端よりも上端が上方に位置して前記網戸５の外れ止めを行う２個の外れ止め部材８（図では１個のみ図示）を前記網戸５の上框６の水平板部６Ｂに備えさせている。前記垂直片部７と前記外れ止め部材８とを図１とは反対の位置関係に配置してもよい。つまり、前記垂直片部７を上部レール４の室外側に配置し、前記外れ止め部材８を上部レール４の室内側に配置して実施してもよい。前記外れ止め部材８の２個を前記網戸５の上框６の網戸移動方向両側にそれぞれ振り分けて設けているが、外れ止め部材８を３個以上設けて実施することもできるが、個数が多くなればなるほど網戸５の外れ止め効果が大きくなるが、その分移動抵抗も大きくなるため、外れ止め部材８の２個を上框６の網戸移動方向両側にそれぞれ振り分けて設ける場合が最適である。ここでは、網戸５の上框６の上壁部分６Ａから室内側に延出された水平板部６Ｂから上方に延びる垂直片部７としているが、水平板部６Ｂの無いものであってもよい。この場合、上框６の上壁部分６Ａに前記外れ止め部材８を設けることになる。前記ガラス障子２，３の具体的構成は、図１に示されるものに限定されるものではなく、網戸５を装着するためのサッシ枠を備えるものであれば、どのような構成のものでも本発明は適応できる。
【００１７】
前記各外れ止め部材８を、それの上端（図では接当部１０Ｓの上面）が前記上部レール４の下端よりも上方に位置する外れ止め作用位置（図１、図２（ｂ）参照）と該上部レール４の下端よりも下方に位置して該網戸５の外れ止めを解除する外れ止め解除位置（図２（ａ）参照）とに渡って上下位置変更自在に構成している。詳述すれば、前記外れ止め部材８を、図１、図２（ａ），（ｂ）及び図３に示すように、後述する支持部材１５に貫通したピンＰにて水平軸芯Ｘ周りで上下揺動自在で、かつ、弾性部材の一例であるつる巻きバネ９により前記外れ止め作用位置へ揺動付勢された合成樹脂製で板状の揺動アーム１０と、前記揺動アーム１０の遊端に備えさせた外れ止め用の接当部１０Ｓの上面よりも下方に位置する上面を有し、前記上部レール４側に向けて水平方向に突出するように、該揺動アーム１０に一体成形され、かつ、該揺動アーム１０の上方側への揺動に伴って前記上部レール４の下端に押し付けられる合成樹脂製の押圧部１１とから構成し、前記外れ止め部材８の揺動アーム１０の下端に接当して該揺動アーム１０の下方側への移動を阻止するための接当部材１２を備え、前記接当部材１２を、前記揺動アーム１０の下方に位置して該揺動アーム１０の下方側への接当位置を上下方向で変更させるためにスライド自在（移動自在）に構成された接当部本体１３と、前記接当部本体１３を複数のスライド位置にて保持するための保持手段１４とから構成している。前記押圧部１１の上面の押圧面（上部レール４の下端と接当する面）１１Ａを円弧形状に構成することによって、上部レール４との接触面積を小さくして、上部レール４との接触抵抗を小さくしているが、他の形状にしてもよい。前記揺動アーム１０の下面に、前記接当部本体１３の先端部上側の角部が引っ掛かって係止保持される鋸歯状になった多数の段部１０Ａを形成して、揺動アーム１０の下方側への接当阻止を係止により確実に行えるようにしているが、段部１０Ａの無いものであってもよい。前記接当部本体１３の先端部１３Ａをこれよりも後方（水平軸芯Ｘから離れる側）に位置する本体部分１３Ｂよりも上面を低くしてあり、図２（ｂ）に示すように揺動アーム１０の水平軸芯Ｘ側へできる限り近づけることができるようにしているが、同一高さにして実施することもできる。図２（ａ）では、支持部材１５の底壁１５Ａの上面に外れ止め部材８の揺動アーム１０の下端が接触する最下降位置を示しているが、網戸５を外せることができる高さであれば、最下降位置でなくてもよい。又、図２（ｂ）では、揺動アーム１０の水平（揺動）軸芯側端部の下面１０Ｂが、支持部材１５の底壁１５Ａの上面に接当して、最大上昇位置（図では水平面に対してほぼ３４度の角度となる位置）になっているが、上框６の上壁部分６Ａの上面と上部レール４の下面との間の隙間（距離）によって調節することになる。しかも、図２（ｂ）の最大揺動角度も変更することもできる。
前記揺動アーム１０及び前記押圧部１１について上述すれば、その揺動アーム１０の遊端（水平軸芯Ｘから離れる端）の上面には、上方に半円状に突出するとともに揺動アーム１０よりも厚みを薄くした前記接当部１０Ｓを形成し、残りの揺動アーム１０の遊端で上端からほぼ三日月状に水平方向でかつ揺動アーム１０の厚み方向に突出する状態で前記押圧部１１を形成することによって、揺動アーム１０の強度を高めながらも、必要となる接当部１０Ｓと押圧部１１とを備えさせることができるようにしているが、接当部１０Ｓと押圧部１１とを別体に構成して、それらを一体化してもよい。
【００１８】
前記外れ止め部材８及び前記接当部材１２を、前記網戸５の上框６に支持される上方が開放されるとともに前記接当部本体１３をスライド可能に保持するための開口縁が形成される合成樹脂製の支持部材１５に取り付け、前記接当部材１２の接当部本体１３の被接当側端に前記支持部材１５から外部に延出されて該接当部本体１３をスライドさせるための押し引き用の操作レバー部１６を一体成形して備えさせている。前記操作レバー部１６を指を引っかけやすいように遊端部が９０度折れ曲がった平面視Ｌ字状に構成しているが、角形や丸形の棒状のものであってもよい。
【００１９】
前記保持手段１４を、前記接当部本体１３の下面にそれのスライド方向に所定間隔を隔てて複数箇所（図では８箇所の多数箇所であるが、２箇所以上であれば、何カ所設けてもよい）に備えた矩形状の凹部１７と、これら凹部１７に係止して複数のスライド位置で前記接当部材１２を保持するために前記支持部材１５の底壁１５Ａの上面に備えた１個の凸部１８（２個以上設けてもよい）とから構成して、スライド位置を８段階で位置調節することによって、揺動アーム１０の揺動角度を８段階に調節できるようにしているが、２段階以上に調節できるのであれば、何段にしてもよい。このように凹凸部による係止にて複数段階に位置調節する構成にすることによって、調節作業の迅速化を図ることができるが、螺子などを利用して無段階に位置調節できるように構成することもできる。
【００２０】
前記支持部材１５は、図３に示すように、板状で平面視長方形状の前記底壁１５Ａと、この底壁１５Ａの１つの短辺を除いた３辺から上方に立ち上げた３枚の縦壁１５Ｂ，１５Ｃ，１５Ｄと、前記底壁１５Ａに対して垂直方向に立ち上げられた２枚の縦壁１５Ｂ，１５Ｃのうちの一方の縦壁１５Ｃの上端から水平方向に支持部材１５から離間する側へ延出された水平板部１５Ｅと、この水平板部１５Ｅの上面からの一部から上方に立ち上げられた補強用の縦板部１５Ｆと、この縦板部１５Ｆと水平板部１５Ｅの上面とを３箇所で連結して強度を高めるための３枚のリブ１５Ｇとを備え、図１、図２（ａ），（ｂ）及び図３に示すように、前記網戸５の上框６を構成する水平の上壁部分６Ａから室内側に延出された水平板部６Ｂの長手方向両端部のそれぞれに長方形状の貫通孔６Ｋを形成し（図では１個の貫通孔６Ｋのみを示している）、それら貫通孔６Ｋ，６Ｋに前記支持部材１５を入り込ませて該貫通孔６Ｋ，６Ｋの外周縁に係止保持させるための係止部１９，２０を該支持部材１５の長手方向両端にそれぞれ備えさせている。
【００２１】
前記一方の係止部１９が、上方側に位置する程支持部材１５から遠のく前上がり傾斜姿勢となる前記縦壁１５Ｄの上端面１５ｄと前記水平板部１５Ｅから水平方向に延びる鍔部１５ｅの下面とで構成され、前記他方の係止部２０が、前記鍔部１５ｅと反対側の端部の上端に備えさせた凹部２０Ｃ形成用の上下一対の板部２０Ａ，２０Ｂから構成している。従って、貫通孔６Ｋに上方から支持部材１５を操作レバー部１６側から入り込ませて係止部２０を貫通孔６Ｋの長手方向一端に係止した後、他端側を下方に押し込むことによって他端側の係止部１９を貫通孔６Ｋの長手方向他端に係止して支持部材１５を貫通孔６Ｋに係止保持させることができる。ここでは、水平板部１５Ｅを設けている関係上、支持部材１５を貫通孔６Ｋに上方から入り込ませるようにしているが、水平板部１５Ｅを省略して支持部材１５を貫通孔６Ｋに下方から入り込ませて係止させるようにしてもよい。又、係止により支持部材１５を迅速に上框６に備えさせる場合を示しているが、ビスなどを用いて上框に固定する構成であってもよい。
【００２２】
前記のように構成された外れ止め装置による外れ止め作用について説明すれば、前記外れ止め装置が装着された網戸５を上部レール４に装着すると、外れ止め部材８の揺動アーム１０が外れ止め作用位置（上方）に揺動付勢されることから、図１及び図２（ｂ）に示すように、押圧部１１が上部レール４に常時接当している状態になる。この状態から、網戸５を開閉するために移動することによって、小さなストロークで僅かに上下方向で移動する網戸５に対して揺動アーム１０がつる巻きバネ９の付勢力に抗して下方側及び上方側へ網戸５の動きに追従して揺動することができる、つまり網戸５が上方へ移動すると揺動アーム１０が下降し、網戸５が下方へ移動すると揺動アーム１０が上昇することができるから、上部レール４の下端に押圧部１１が常に接当しながら、網戸５を移動させることができ、網戸５をスムーズかつ軽快に移動させることができるようになっている。そして、移動時に網戸５が不測に大きく浮き上がった場合には、下方側へ揺動する揺動アーム１０の下端が接当部本体１３に接当することによって、揺動アーム１０の下方側への揺動が阻止され、網戸５が外れてしまうことを阻止することができるようになっている。前記揺動アーム１０に対する接当部本体１３のスライド位置は、上部レール４の下端と網戸５の上框６の上端との隙間の大きさに応じて変更することになるが、実際には、揺動アーム１０の接当部１０Ｓの上面が上部レール４の下端よりも下方へ位置することがないように揺動アーム１０の下方側への揺動を接当阻止するスライド位置に設定することになる。前記網戸５を上部レール４から外したい場合には、前記操作レバー部１６を引っ張り操作してから揺動アーム１０を最下降位置まで下方側へ揺動して上部レール４から網戸５の上端を外すことになる。
【００２３】
図４（ａ），（ｂ）に示すように、ガラス障子２，３のガラス２１，２１の厚みが図１に比べて厚くなっているため、ガラス障子２，３の上框に挟持させることができるように、該上框の上下方向中間部に水平方向室内側又は室外側に突出する水平板部２Ａ，３Ａを備えさせることによって、上框をそれの中間部から下端にかけたガラスの収納空間を大きく取るようにしている。このように室外側に水平板部３Ａが大きく突出した状態においても、前記外れ止め部材８が上框６に対して下方側へ大きく突出することがないから、ガラス障子２，３の上框を改造することなく、今まで通りのガラス障子２，３を取り付けることができながらも、外れ止め部材８を確実に取り付けることができるようになっている。尚、図４（ａ）に比べて図４（ｂ）の方が水平板部２Ａ，３Ａが室内側及び室外側に大きく突出した状態を示している。又、図４（ａ），（ｂ）において説明しなかった他の部分は、図１のものと同様であり、同一の符号を付している。
【００２４】
図１では、押圧部１１と外れ止め用の接当部１０Ｓとを揺動アーム１０に備えさせた構成にしたが、図５に示すように、外れ止め用の接当部１０Ｓを省略して上部レール４の下端に接当する押圧部材２２を上下揺動自在に上框６に備えさせて実施してもよい。
具体的には、網戸５の下框２３に、サッシ枠を構成する下部枠２４の下部レール２５の室内側及び室外側の両側に位置して該網戸の外れ止めを行うための外れ止め部２６，２７をそれの下端が該下部レール２５の上端よりも下方に位置する状態で備え、前記網戸５の移動時に該網戸５の浮き上がりにより前記外れ止め部２６，２７を乗り越えて該網戸５が外れてしまうことがないように前記サッシ枠を構成する上部枠１の上部レール４の下端に接当して該網戸５の浮き上がりを規制するための押圧部材２２を複数（図５では１個のみ示しているが、網戸の移動方向に２個以上設けることになる）備えさせている。前記押圧部材２２を支持する構成は、図２及び図３と同一であるため、図示していない。前記各押圧部材２２を、水平軸芯Ｘ周りで上下揺動自在で、かつ、前記上部レール４の下端に押し付け付勢するために上方側へ揺動付勢し、前記押圧部材２２の下端に接当して該押圧部材２２の下方側への移動を阻止するための接当部材１２（図２（ａ），（ｂ）参照）を備え、前記接当部材１２を、前記押圧部材２２の下方に位置して該押圧部材２２の下方側への接当位置を上下方向で変更させるためにスライド自在に構成した接当部本体１３（図２（ａ），（ｂ）参照）と、前記接当部本体１３を複数のスライド位置にて保持させるための保持手段１４（図２（ａ），（ｂ）参照）とから構成している。前記押圧部材２２の室内側及び室外側の両側に、外れ止め用の板部として、上框６の上壁部分６Ａから室内側へ延びる水平板部６Ｂと、上框６の室内側縦壁部に固定されたＵ字状の枠材の室内側の縦板部７とから構成しているが、それらの形状などの具体的構成は図に示されるものに限定されるものではない。又、前記外れ止め部２６，２７の室外側の外れ止め部２７を水平方向に延びる板部から構成し、室内側の外れ止め部２６を前記下框２３に固定される逆Ｕ字状の枠材の室内側の縦板部から構成しているが、それらの形状などの具体的構成は図に示されるものに限定されるものではない。図５の網戸５の外れ止めの構成を、図１のものに置き換えてもよい。
【００２５】
図５に示す網戸５の場合には、下部レール２５に対する網戸５の下框２３の係り代、図５では浅い方の係り代Ｌ（室内側の外れ止め部２６の下端と下部レール２５の上端との距離）よりも網戸５の移動時に浮き上がる距離が小さくなるように網戸５の上方への移動を接当部材１２をスライドさせて押圧部材２２の下方側への移動位置を設定することになる。ここでは、下部網戸５の下框２３の室内側の係り代を室外側の係り代よりも小さくなっているが、これとは逆に設定してもよいし、同じに設定してもよい。
前記網戸５の取り外し方として、例えば押圧部材２２又は外れ止め部材８の下方への移動可能量を図５で示した網戸５と網戸５の下框２３の係り代Ｌよりも大きくした状態になるように接当部材１２をスライドさせて押圧部材２２の下方側への移動位置を設定してから、網戸５を上方に持ち上げ、網戸５の下框２３を下部レール２５から室外側（場合によっては室内側でもよい）へ外すことになる。
【図面の簡単な説明】
【００２６】
【図１】サッシ枠を構成する上部枠にガラス障子及び網戸を装着した上側の縦断面図である。
【図２】（ａ）は揺動部材を最下降位置にした状態を示す縦断面図、（ｂ）は揺動部材を最大上昇位置にした状態を示す縦断面図である。
【図３】外れ止め部材の分解斜視図である。
【図４】（ａ），（ｂ）は図１で示したガラス障子よりも厚みのあるガラス障子及び網戸を装着した上側の縦断面図である。
【図５】サッシ枠を構成する上部枠にガラス障子及び他の網戸を装着した一部省略の縦断面図である。
【符号の説明】
【００２７】
１  上部枠
２，３  ガラス障子
４  上部レール
５  網戸
６  上框
６Ａ  上壁部分
６Ｋ  貫通孔
７  垂直片部
８  外れ止め部材
９  つる巻きバネ
１０  揺動アーム
１０Ａ  段部
１０Ｂ  下面
１０Ｓ  接当部
１１  押圧部
１１Ａ  押圧面
１２  接当部材
１３  接当部本体
１３Ａ  先端部
１３Ｂ  本体部分
１４  保持手段
１５  支持部材
１５Ａ  底壁
１５Ｂ，１５Ｃ，１５Ｄ  縦壁
１５Ｅ  水平板部
１５Ｆ  縦板部
１５Ｇ  リブ
１５ｅ  鍔部
１６  操作レバー部
１７  凹部
１８  凸部
１９，２０  係止部
２０Ａ，２０Ｂ  板部
２０Ｃ  凹部
２１  ガラス
２２  押圧部材
２３  下框
２４  下部枠
２５  下部レール
Ｘ  水平軸芯
【図１】
2007182673.tif 000003
【図２】
2007182673.tif 000004
【図３】
2007182673.tif 000005
【図４】
2007182673.tif 000006
【図５】
2007182673.tif 000007